(57)【要約】【課題】  マルチ機能のルームミラーの提供【解決手段】  本考案はマルチ機能のルームミラーに関するものである。それは一つのケース、複数の指示ユニット、一つのデータ保存装置、一つの音楽放送装置及び一つの無線ブルートゥースユニットを含む。又、複数の指示ユニットがケースの内部空間に設けられ、データ保存装置に少なくとも一つのデジタル式音楽ファイルを保存してあり、音楽放送装置をケースの受け入れスロットに置いてあるし、その中に、一つのデジタル音楽のデコードユニット、及び一つのＦＭ送信器を含む。又、そのデジタル音楽のデコードユニットを使って、データ保存装置の中でのデジタル式音楽ファイルを読み取ってデコードした後、ＦＭ送信器を通して無線で送信する。又、車の中でのＦＭラジオを通して受信してから、車内のスピーカを通して音楽を放送し、無線ブルートゥースユニットを使って、音楽放送装置での音楽の放送、及び指示ユニットのディスプレーをコントロールする。【選択図】  図２
0003120518.tif 000002
【実用新案登録請求の範囲】
【請求項１】
マルチ機能のルームミラーに関するものであり、ケース、複数の指示ユニット、データ保存装置、音楽放送装置及び無線ブルートゥースユニットを包含し、該ケースは一つの半透過性リフレクターを含み、又そのケースの内部空間に一つの受け入れスロットを設け、  該複数の指示ユニットはケースの内部空間に設けられ、それを半透過性リフレクの背面に向かわせ、
該データ保存装置は少なくとも一つのデジタル式音楽ファイルを保存してあり、
該音楽放送装置はケースの受け入れスロットに置いてあるし、その中に、一つのデジタル音楽のデコードユニット、及び一つのＦＭ送信器を含み、そのデジタル音楽のデコードユニットをそれぞれデータ保存装置、ＦＭ送信機に接続するし、そのデジタル音楽のデコードユニットを使ってデータ保存装置の中での少なくとも一つのデジタル式音楽ファイルを読み取ってデコードした後、ＦＭ送信器を通して無線で送信し、無線ブルートゥースユニットはケースの内部空間に設け、複数指示ユニット及び音楽放送装置に接続し、又、その無線ブルートゥースユニットは無線で一つの外部からの無線ブルートゥースの信号を受信し、それによって、音楽放送装置での音楽の放送、及び指示ユニットのディスプレーをコントロールすることを特徴とするマルチ機能のルームミラー。
【請求項２】
請求項１記載のマルチ機能のルームミラーにおいて、その音楽放送装置に一つの取り外し可能なケースを含む、又、それを外部からケースの受け入れスロットの中に挿入することを特徴とするマルチ機能のルームミラー。
【請求項３】
請求項１記載のマルチ機能のルームミラーにおいて、更に、その音楽放送装置に一つのＵＳＢソケットを含み、そのデータ保存装置に一つのＵＳＢプラグを含み、それを音楽放送装置のＵＳＢソケットに対応の方式で挿入して接続することを特徴とするマルチ機能のルームミラー。
【請求項４】
請求項１記載のマルチ機能のルームミラーにおいて、その指示ユニットに複数の７段ディスプレーを含むことを特徴とするマルチ機能のルームミラー。
【請求項５】
請求項１記載のマルチ機能のルームミラーにおいて、その指示ユニットに複数のピクチャーディスプレーを含むことを特徴とするマルチ機能のルームミラー。
【請求項６】
請求項１記載のマルチ機能のルームミラーにおいて、その少なくとも一つのデジタルデータの音楽ファイルに一つのＭＰ３タイプの音楽ファイルを含むことを特徴とするマルチ機能のルームミラー。
【請求項７】
請求項１記載のマルチ機能のルームミラーにおいて、その音楽放送装置に更に一つのメモリーユニットを含むことを特徴とするマルチ機能のルームミラー。
【請求項８】
請求項１記載のマルチ機能のルームミラーにおいて、その上に一つの車載用コントロールモジュールを搭載して使用し、又、車載用コントロールモジュールに一つの無線ブルートゥース装置を含み、それは無線で無線ブルートゥースの信号を送信することを特徴とするマルチ機能のルームミラー。
【請求項９】
請求項８記載のマルチ機能のルームミラーにおいて、その車載用コントロールモジュールに更に一つのカーナビ装置及び一つの電子マップデータベースを含み、又、その車載用コントロールモジュールを使ってカーナビ装置で計算された当時の座標の位置を得てから、電子マップデータベースと比較することで、関連する顧客サービスの情報を選んだ後、無線ブルートゥース装置を通して無線で送信することを特徴とするマルチ機能のルームミラー。
【請求項１０】
請求項９記載のマルチ機能のルームミラーにおいて、その電子マップデータベースで選んだ顧客サービス情報は、下記のような食べ物、衣服、居住、交通、及び娯楽等のグループの中から一つを選ぶことを特徴とするマルチ機能のルームミラー。
【請求項１１】
請求項８記載のマルチ機能のルームミラーにおいて、その車載用コントロールモジュールに更に一つの携帯電話装置を含み、又、その車載用コントロールモジュールを使って、携帯電話で生じる通信情報が無線ブルートゥース装置を通して送信することを特徴とするマルチ機能のルームミラー。
【請求項１２】
請求項１記載のマルチ機能のルームミラーにおいて、そのマルチ機能のルームミラーに複数のコントロールキーを含み、それをケースに設け、複数指示ユニット及び音楽放送装置に接続することを特徴とするマルチ機能のルームミラー。
【請求項１３】
請求項１２記載のマルチ機能のルームミラーにおいて、そのコントロールキーに一つの緊急通知キーを含み、又、その緊急通知キーを無線ブルートゥースユニットに接続するのであることを特徴とするマルチ機能のルームミラー。
【考案の詳細な説明】
【技術分野】
【０００１】
本考案はマルチ機能のルームミラーに関するものである。特に食べ物、遊び、ショッピング、居住などの生活情報を表示し、及び音楽放送をコントロールするマルチ機能があるルームミラーを指すものである。
【背景技術】
【０００２】
従来の車両のルームミラーを使って、温度、バックの距離、電話番号等の情報を表示することで、車両の運転手がもっと楽で運転のデータ又は生活情報を得られる。
【０００３】
科学技術の進歩に従って、音楽のファイル(例えばＭＰ３) も普及になったが、従来の車両の中にデジタル音楽ファイルを放送するため、別にMP3放送機能がある音楽放送装置又は切り換え装置を買わなければならない。
【０００４】
唯、ＭＰ３放送機能を備える音楽放送装置又は切り換え装置を取り付けると、車内空間の配置及び車内空間の美観を影響する。更に、車両の運転手が運転中の同時にたくさんの設備を操作することは、とても不便で、運転の安全にも影響されるので、あまり理想的な状態ではない。
【考案の開示】
【考案が解決しようとする課題】
【０００５】
本考案はマルチ機能のルームミラーに関するものである。それは一つのケース、複数の指示ユニット、一つのデータ保存装置、一つの音楽放送装置及び一つの無線ブルートゥースユニットを含む。そのケースに一つの半透過性リフレクターを含み、又、そのケースの内部空間に一つの受け入れスロットを設けてある。更に、その複数の指示ユニットがケースの内部空間に設けられるし、それを半透過性リフレクの背面に向かわせる。
【０００６】
又、データ保存装置に少なくとも一つのデジタル式音楽ファイルを保存してあり、音楽放送装置をケースの受け入れスロットに置いてあるし、その中に、一つのデジタル音楽のデコードユニット、及び一つのＦＭ送信器を含む。そのデジタル音楽のデコードユニットをそれぞれデータ保存装置、ＦＭ送信機に接続するし、そのデジタル音楽のデコードユニットを使って、データ保存装置の中での少なくとも一つのデジタル式音楽ファイルを読み取ってデコードした後、ＦＭ送信器を通して無線で送信する。
【０００７】
又、無線ブルートゥースユニットをケースの内部空間に設けてあるし、複数指示ユニット及び音楽放送装置に接続する。又、無線ブルートゥースユニットは無線で一つの外部からの無線ブルートゥースの信号を受信するし、それによって、音楽放送装置での音楽の放送、及び指示ユニットのディスプレーをコントロールする。
【０００８】
上述によって、本考案が無線ブルートゥースの送信方式によって、ルームミラーでの音楽送信装置をコントロールして、音楽をＦＭ送信機で送信してから、車の中でのＦＭラジオを通して受信してから、車内のスピーカを通して音楽を放送するので、音楽放送装置をルームミラーの中に結合することができる。又、本考案が上述と同じように無線ブルートゥースの送信方式によって、ルームミラーの指示ユニットをコントロールして、英語、数字、電話番号及び食べ物、遊び、ショッピング、居住などのサービス情報を表示することができるので、上述の構造を通して、有効に車内の空間を節約できるし、車内の配線も減少できるので、車内の美観を向上することができる。
【０００９】
更に、音楽放送装置に一つのＵＳＢソケットを含んでも良い。又、そのデータ保存装置に一つのＵＳＢプラグを含み、それを音楽放送装置のＵＳＢソケットに対応の方式で挿入して接続する。それによって、データ保存装置がＵＳＢソケットを通してコンピューターに接続することで、ＭＰ３タイプの音楽ファイルを拡張することができる。
【００１０】
複数の指示ユニットに複数の7段ディスプレーを含んでも良い。それによって、英語、数字、電話番号又はその他の情報を表示することができる。
【００１１】
複数の指示ユニットが複数のピクチャーディスプレーを含んでも良い。それによって、食べ物、遊び、ショッピング、居住などの生活情報を表示することができる。
【００１２】
又、一つのデジタルデータの音楽ファイルに少なくとも一つのＭＰ３タイプの音楽ファイルを含んでも良い。当然その他のデジタルデータの音楽ファイルを使っても良い。例えば、ＷＭＡ、ＭＩＤＩのデジタルデータの音楽ファイル。
【００１３】
音楽放送装置に更に一つのメモリーユニットを内蔵しても良い。それによって、デジタルデータの音楽ファイルを音楽放送装置の中に保存することができるし、直接デジタル音楽を放送することができる。
【００１４】
本考案に一つの車載用コントロールモジュールを搭載して使用するこ３０とができる。又、車載用コントロールモジュールに一つの無線ブルートゥース装置を含んでも良い。それは無線で無線ブルートゥースの信号を送信することで、音楽放送装置の音楽放送及び複数の指示ユニットのディスプレーをコントロールするのである。
【００１５】
車載用コントロールモジュールに更に一つのカーナビ装置及び一つの電子マップデータベース３５を含んでも良い。車載用コントロールモジュールを使ってカーナビ装置で計算された当時の座標の位置を得てから、電子マップデータベースと比較することで、関連する顧客サービスの情報を選んだ後、無線ブルートゥース装置を通して無線で送信する。それによって、カーナビを使って当時車両の座標の位置を計算、電子マップデータベースを使って複数の電子マップの情報を保存するのである。
【００１６】
電子マップデータベースで選んだ顧客サービス情報は、下記のような食べ物、衣服、居住、交通、及び娯楽等のグループの中から一つを選ぶことができる。  
【００１７】
車載用コントロールモジュールに更に一つの携帯電話装置を含んでも良い。又、車載用コントロールモジュールを使って、携帯電話で生じる通信情報(例えば着信履歴、送信履歴…等)が無線ブルートゥース装置を通して送信するので、携帯電話装置を通して外部と接続することで、電子マップデータを拡充、ダウンロード又は更新することができるし、それを電子マップデータベースに保存することができる。
【００１８】
マルチ機能のルームミラーに複数のコントロールキーを含んでも良い。それをケースに設けるし、複数指示ユニット及び音楽放送装置に接続する。 それによって、指示ユニットの明るさ、音楽放送装置の音楽放送又はその他の機能をコントロールすることができる。
【００１９】
コントロールキーに一つの緊急通知キーを含んでも良い。又、緊急通知キーを無線ブルートゥースユニットに接続するのである。それによって、緊急通知キーが無線ブルートゥースユニットを通して、無線ブルートゥース装置に送信してから、携帯電話装置に送信することで、救命信号を送信する。
【課題を解決するための手段】
【００２０】
請求項１の考案は、マルチ機能のルームミラーに関するものであり、ケース、複数の指示ユニット、データ保存装置、音楽放送装置及び無線ブルートゥースユニットを包含し、該ケースは一つの半透過性リフレクターを含み、又、そのケースの内部空間に一つの受け入れスロットを設け、
該複数の指示ユニットはケースの内部空間に設けられ、それを半透過性リフレクの背面に向かわせ、
該データ保存装置は少なくとも一つのデジタル式音楽ファイルを保存してあり、
該音楽放送装置はケースの受け入れスロットに置いてあるし、その中に、一つのデジタル音楽のデコードユニット、及び一つのＦＭ送信器を含み、そのデジタル音楽のデコードユニットをそれぞれデータ保存装置、ＦＭ送信機に接続するし、そのデジタル音楽のデコードユニットを使ってデータ保存装置の中での少なくとも一つのデジタル式音楽ファイルを読み取ってデコードした後、ＦＭ送信器を通して無線で送信し、無線ブルートゥースユニットはケースの内部空間に設け、複数指示ユニット及び音楽放送装置に接続し、又、その無線ブルートゥースユニットは無線で一つの外部からの無線ブルートゥースの信号を受信し、それによって、音楽放送装置での音楽の放送、及び指示ユニットのディスプレーをコントロールすることを特徴とするマルチ機能のルームミラーとしている。
請求項２の考案は、請求項１記載のマルチ機能のルームミラーにおいて、その音楽放送装置に一つの取り外し可能ケースを含み、又、それを外部からケースの受け入れスロットの中に挿入することを特徴とするマルチ機能のルームミラーとしている。
請求項３の考案は、請求項１記載のマルチ機能のルームミラーにおいて、更に、その音楽放送装置に一つのＵＳＢソケットを含み、そのデータ保存装置に一つのＵＳＢプラグを含み、それを音楽放送装置のＵＳＢソケットに対応の方式で挿入して接続することを特徴とするマルチ機能のルームミラーとしている。
請求項４の考案は、請求項１記載のマルチ機能のルームミラーにおいて、その指示ユニットに複数の７段ディスプレーを含むことを特徴とするマルチ機能のルームミラーとしている。
請求項５の考案は、請求項１記載のマルチ機能のルームミラーにおいて、その指示ユニットに複数のピクチャーディスプレーを含むことを特徴とするマルチ機能のルームミラーとしている。
請求項６の考案は、請求項１記載のマルチ機能のルームミラーにおいて、その少なくとも一つのデジタルデータの音楽ファイルに一つのＭＰ３タイプの音楽ファイルを含むことを特徴とするマルチ機能のルームミラーとしている。
請求項７の考案は、請求項１記載のマルチ機能のルームミラーにおいて、その音楽放送装置に更に一つのメモリーユニットを含むことを特徴とするマルチ機能のルームミラーとしている。
請求項８の考案は、請求項１記載のマルチ機能のルームミラーにおいて、その上に一つの車載用コントロールモジュールを搭載して使用し、又、車載用コントロールモジュールに一つの無線ブルートゥース装置を含み、それは無線で無線ブルートゥースの信号を送信することを特徴とするマルチ機能のルームミラーとしている。
請求項９の考案は、請求項８記載のマルチ機能のルームミラーにおいて、その車載用コントロールモジュールに更に一つのカーナビ装置及び一つの電子マップデータベースを含み、又、その車載用コントロールモジュールを使ってカーナビ装置で計算された当時の座標の位置を得てから、電子マップデータベースと比較することで、関連する顧客サービスの情報を選んだ後、無線ブルートゥース装置を通して無線で送信することを特徴とするマルチ機能のルームミラーとしている。
請求項１０の考案は、請求項９記載のマルチ機能のルームミラーにおいて、その電子マップデータベースで選んだ顧客サービス情報は、下記のような食べ物、衣服、居住、交通、及び娯楽等のグループの中から一つを選ぶことを特徴とするマルチ機能のルームミラーとしている。
請求項１１の考案は、請求項８記載のマルチ機能のルームミラーにおいて、その車載用コントロールモジュールに更に一つの携帯電話装置を含み、又、その車載用コントロールモジュールを使って、携帯電話で生じる通信情報が無線ブルートゥース装置を通して送信することを特徴とするマルチ機能のルームミラーとしている。
請求項１２の考案は、請求項１記載のマルチ機能のルームミラーにおいて、そのマルチ機能のルームミラーに複数のコントロールキーを含み、それをケースに設けるし、複数指示ユニット及び音楽放送装置に接続することを特徴とするマルチ機能のルームミラーとしている。
請求項１３の考案は、請求項１２記載のマルチ機能のルームミラーにおいて、そのコントロールキーに一つの緊急通知キーを含み、又、その緊急通知キーを無線ブルートゥースユニットに接続するのであることを特徴とするマルチ機能のルームミラーとしている。
【考案の効果】
【００２１】
本考案はマルチ機能のルームミラーに関するものである。それは一つのケース、複数の指示ユニット、一つのデータ保存装置、一つの音楽放送装置及び一つの無線ブルートゥースユニットを含む。又、複数の指示ユニットがケースの内部空間に設けられ、データ保存装置に少なくとも一つのデジタル式音楽ファイルを保存してあり、音楽放送装置をケースの受け入れスロットに置いてあるし、その中に、一つのデジタル音楽のデコードユニット、及び一つのＦＭ送信器を含む。又、そのデジタル音楽のデコードユニットを使って、データ保存装置の中でのデジタル式音楽ファイルを読み取ってデコードした後、ＦＭ送信器を通して無線で送信する。又、車の中でのＦＭラジオを通して受信してから、車内のスピーカを通して音楽を放送し、無線ブルートゥースユニットを使って、音楽放送装置での音楽の放送、及び指示ユニットのディスプレーをコントロールする。
【考案を実施するための最良の形態】
【００２２】
本考案はマルチ機能のルームミラー１に関するものである。まず、図１をご参照ください。図１は本考案のベター実施例のシステム説明図である。本考案に一つのケース１０、複数の指示ユニット１１、一つのデータ保存装置１２、一つの音楽放送装置１３、一つの無線ブルートゥースユニット１４及びコントロールキー１５を含む。
【００２３】
次、図２をご参照ください。図２は、本考案のベター実施例の分解図である。ケース１０に一つの半透過性リフレクター１０１を含むので、電子データを直接ルームミラーに表示できる。又、ケース１０の内部空間１１０に一つの受け入れスロット１１１を設けてある。
【００２４】
この実施例の中に、その複数の指示ユニット１１もケース１０の内部空間３５  １１０に設けられるし、半透過性リフレクター１０１の背面に向かわせる。指示ユニット１１に、複数の７段ディスプレー１１４及び複数のピクチャーディスプレー１１３を含む。その７段ディスプレー１１４で英語、数字及び電話番号を表示、ピクチャーディスプレー１１３を使って、食べ物、遊び、ショッピング、居住等の関連する顧客サービスの情報を表示する。
【００２５】
又、図３をご参照ください。図３は本考案のベター実施例の音楽放送装置１３及びデータ保存装置１２機能のブロック図である。データ保存装置１２に少なくとも一つのデジタルデータの音楽ファイルを保存してある。それはＭＰ３タイプのデジタルデータの音楽ファイル、又はその他例えば、ＷＭＡ及びＭＩＤＩのデジタルデータの音楽ファイルを使っても良いのである。この実施例の中でのデジタルデータ音楽ファイルはＭＰ３タイプの音楽ファイルである。データ保存装置１２ に一つのＵＳＢプラグ１２１を含む。それによって、ＵＳＢプラグ１２１をコンピューターと接続することで、ＭＰ３タイプの音楽ファイルを拡張することができる。
【００２６】
図２及び図３をご参照ください。音楽放送装置１３をケース１０の受け入れスロット１１１の中に設けてあるし、その中に一つの取り外し可能ケース１３０、一つのデジタル音楽のデコードユニット１３１、一つの ＦＭ送信器１３２、一つのＵＳＢソケット１３３及び一つのメモリーユニット１３４を含む。又、取り外し可能ケース１３０を外部からケース１０の受け入れスロット１１１の中に挿入し、デジタル音楽のデコードユニット１３１をそれぞれデータ保存装置１２及び ＦＭ送信器１３２に接続する。又、デジタル音楽のデコードユニット１３１を使って、データ保存装置１２の中でのＭＰ３タイプの音楽ファイルを読み取ってデコードした後、ＦＭ送信器１３２を通して無線で送信する。又、車の中でのＦＭラジオを通して受信してから、車内のスピーカを通して音楽を放送する。当然、ＭＰ３タイプの音楽ファイルを内蔵されたメモリーユニット１３４の中に保存することで、直接デジタル音楽ファイルを放送することができる。又、データ保存装置１２のＵＳＢプラグ１２１を対応の方式でＵＳＢソケット１３３に接続して設けてある。
【００２７】
図２中に、無線ブルートゥースユニット１４をケース１０の内部空間１１０に設けてあるし、指示ユニット１１及び音楽放送装置１３に接続する。又、無線ブルートゥースユニット１４は無線で一つの外部からの無線ブルートゥース信号Ｓを受信する。それによって、音楽放送装置１３の音楽放送及び指示ユニット１１の表示をコントロールする。
【００２８】
この実施例の中に、複数のコントロールキー１５をケース１０に設けるし、指示ユニット１１及び音楽放送装置１３に接続する。それによって、指示ユニット１１の明るさ、音楽放送装置１３の音楽放送又はその他の制御機能をコントロールする。コントロールキー１５に一つの緊急通知キー１０３を含む。その緊急通知キー１０３を無線ブルートゥースユニット１４に接続するので、緊急通知キー１０３で救命信号を送信することができる。
【００２９】
本考案は無線ブルートゥースの送信方式でルームミラー１の音楽放送装置１３ をコントロールして、音楽をＦＭ送信器１３２で送信してから、車内のＦＭラジオを通して受信し、更に車内のスピーカを利用して音楽を放送するので、音楽放送装置１３をルームミラーの中に結合することができる。又、本考案が上述と同じように無線ブルートゥースの送信方式によって、ルームミラー１の指示ユニット１１をコントロールして、英語、数字、電話番号及び食べ物、遊び、ショッピング、居住などの顧客サービス情報を表示することができるので、本考案構造を通して、有効に車内１０ の空間を節約できるし、車内の配線も減少できるので、車内の美観を向上することができる。
【００３０】
本考案を一つの車載用コントロールモジュール３０を搭載して使用することができる。同時に図２、図３をご参照してください。又、図４は本考案のベター実施例の車載用コントロールモジュール３０機能のブロック図である。その車載用コントロールモジュール３０に一つの無線ブルートゥース装置３３、一つのカーナビ装置３４、一つの電子マップデータベース３５、一つの携帯電話装置３６を含む。
【００３１】
無線ブルートゥース装置３３は無線で一つの無線ブルートゥース信号Ｓを送信し、カーナビ装置３４を使って、当時車両の座標の一を計算する。又、電子マップデータベース３５に複数の電子マップの情報を保存し、車載用コントロールモジュール３０はカーナビ装置３４で計算した当時の座標の一を得てから、電子マップデータベース３５で選んだ関連する顧客データと比較してから、無線ブルートゥース装置３３を通して無線で送信する。電子マップデータベース３５で選んだ顧客サービス情報は、下記のような食べ物、衣服、居住、交通、及び娯楽等のグループの中から一つを選ぶのである。例えば、食べ物、遊び、ショッピング、居住などの生活情報。
【００３２】
車載用コントロールモジュール３０の中に一つの携帯電話装置３６がある。この実施例の中にＧＳＭ通信装置を使用し、載用コントロールモジュールを使って、携帯電話で生じる通信１０ 情報(例えば着信履歴、送信履歴等)が無線ブルートゥース装置３３を通してルームミラーに送信してディスプレーする。又、携帯電話装置３６を通して外部と接続することで、電子マップデータを拡充、更新又はダウンロードすることができる。
【図面の簡単な説明】
【００３３】
【図１】本考案のベター実施例のシステム表示図である。
【図２】本考案のベター実施例の分解図である。
【図３】本考案のベター実施例の音楽放送装置及びデータ保存装置機能のブロック図である。
【図４】本考案のベター実施例の車載用コントロールモジュール機能のブロック図である。
【符号の説明】
【００３４】
１  マルチ機能のルームミラー            １０  ケース
１１  指示ユニット                      １２  データ保存装置
１３  音楽放送装置                      １４  無線ブルートゥースユニット
１５  コントロールキー                  １０１  半透過性リフレクター
１１０  内部空間                        １１１  受け入れスロット
１１４  ７段ディスプレー                １１３  ピクチャーディスプレー
１２１  ＵＳＢプラグ                    １３０  取り外し可能ケース
１３１  デジタル音楽のデコードユニット  １３２  ＦＭ送信器
１３３  ＵＳＢソケット                  １３４  メモリーユニット
１０３  緊急通知キー                    ３０  車載用コントロールモジュール
３３  無線ブルートゥース装置            ３４  カーナビ装置
３５  電子マップデータベース              ３６  携帯電話装置
【図１】
0003120518.tif 000003
【図２】
0003120518.tif 000004
【図３】
0003120518.tif 000005
【図４】
0003120518.tif 000006